(57)【要約】【課題】階段の角部に対応する部分が、視覚的に目立ち且つ踏圧が集中しても摩耗しにくい階段用床材を提供する。【解決手段】コーナー部６がシート部３の上側から重合された状態で溶着されるため、コーナー部６がシート部３から盛り上がった状態となり、視覚的に目立つと共に、階段の角部５がコーナー部６で覆われるため、摩耗も少ない。【選択図】　　　　図１
2004060154.tif 000002
【特許請求の範囲】
【請求項１】
階段の踏み面に貼り付けられる合成樹脂製のシート部と、踏み面から蹴上げにかけて曲折された形状の合成樹脂製のコーナー部とから構成され、
前記コーナー部の踏み面対応部を、前記シート部の端部の表面に重合させて溶着したことを特徴とする階段用床材。
【請求項２】
請求項１に記載の階段用床材であって、
前記コーナー部の踏み面対応部の裏面に、該踏み面対応部の端末から踏み面対応部の途中位置まで、シート部の厚さに合致する深さの凹部を形成し、
該凹部内に、前記シート部の端部を収納した状態で、踏み面対応部とシート部の端部とを溶着したことを特徴とする階段用床材。
【請求項３】
請求項１又は請求項２に記載の階段用床材であって、
前記踏み面対応部の表面に複数の横リブを形成し、
該横リブ部分を選択してシート部に対して超音波溶着したことを特徴とする階段用床材。
【請求項４】
請求項１〜３のいずれか１項に記載の階段用床材であって、
前記シート部の表面に防滑用の凸模様を形成すると共に、このシート部の表面のうち、コーナー部の踏み面対応部に超音波溶着される範囲だけ、凸模様を研磨除去して平坦化したことを特徴とする階段用床材。
【発明の詳細な説明】
【０００１】
【発明の属する技術分野】
この発明は、階段に貼り付けて使用する階段用床材に関する。
【０００２】
【従来の技術】
従来より、階段の昇降時の騒音軽減と防滑性を高めるために、階段の踏み面から蹴上げの一部にかけて合成樹脂製の床材が貼り付けられている（類似技術として、特開平１０−３３１３７４号公報参照）。この床材としては、踏み面に貼られる踏み面部と、蹴上げに貼られる蹴上げ部とを一体形成した構造になっている。踏み面部と蹴上げ部とは、予め９０°に折り曲げ加工され、階段への貼付け作業を容易にしている。
【０００３】
【発明が解決しようとする課題】
しかしながら、このような従来の床材にあっては、踏み面部から蹴上げ部を折り曲げた一体構造のため、階段における踏み面と蹴上げとの角部は、床材の単なる折り曲げ部で覆われることになり、特に目立たず、また摩耗もし易い。本来ならば、階段の角部に対応する部分は、階段を昇り降りする人が足を踏み外す危険性がある場所なので、視覚的に目立つ必要があり、また踏圧が集中して摩耗し易い部分なので、耐用性も要求される。
【０００４】
この発明は、このような従来の技術に着目してなされたものであり、階段の角部に対応する部分が、視覚的に目立ち且つ踏圧が集中しても摩耗しにくい階段用床材を提供するものである。
【０００５】
【課題を解決するための手段】
請求項１に記載の発明は、階段の踏み面に貼り付けられる合成樹脂製のシート部と、踏み面から蹴上げにかけて曲折された形状の合成樹脂製のコーナー部とから構成され、コーナー部の踏み面対応部をシート部の端部の表面に重合させて超音波溶着したことを特徴とする。
【０００６】
請求項１に記載の発明によれば、階段の角部に対応するコーナー部が、シート部とは別部材で、且つシート部の上側から重合された状態で超音波溶着されるため、コーナー部がシート部から盛り上がった状態となり、視覚的に目立つ。また、階段の角部の最も外側が、コーナー部で覆われるため、シート部の折曲部を対応させていた従来に比べ、摩耗も少ない。更に、超音波溶着による結合は強力で、シート部とコーナー部とが完全に一体化されるため、コーナー部を別部材にしたことによる不具合はない。
【０００７】
請求項２に記載の発明は、コーナー部の踏み面対応部の裏面に、該踏み面対応部の端末から踏み面対応部の途中位置まで、シート部の厚さに合致する深さの凹部を形成し、該凹部内にシート部の端部を収納した状態で、踏み面対応部とシート部の端部とを超音波溶着したことを特徴とする。
【０００８】
請求項２に記載の発明によれば、コーナー部の凹部でシート部に対する溶着面積は確保しながら、階段の角部に対応する部分はコーナー部だけで覆うため、踏力がコーナー部を介して階段の角部へ直接伝達され、踏力に対して高い反発力を示すことになり、足を踏み外す危険性が少なくなる。
【０００９】
請求項３に記載の発明は、踏み面対応部の表面に複数の横リブを形成し、該横リブ部分を選択してシート部に対して溶着したことを特徴とする。
【００１０】
請求項３に記載の発明によれば、踏み面対応部において、肉厚の横リブ部分を選択して超音波溶着するようにしたため、溶着の痕がコーナー部の表面側に生じにくい。
【００１１】
請求項４に記載の発明は、シート部の表面に防滑用の凸模様を形成すると共に、このシート部の表面のうち、コーナー部の踏み面対応部に超音波溶着される範囲だけ、凸模様を研磨除去して平坦化したことを特徴とする。
【００１２】
請求項４に記載の発明によれば、凸模様によりシート部の防滑性を高めながら、コーナー部の踏み面対応部に超音波溶着される範囲だけ凸模様を研磨除去して平坦化したため、溶着強度が高まる。
【００１３】
【発明の実施の形態】
以下、この発明の好適な実施形態を図１〜図４に基づいて説明する。
【００１４】
まず、この実施形態に係る床材１の構造を、図１に基づいて説明する。この床材１は、階段の踏み面２に貼り付けられるシート部３と、踏み面２及び蹴上げ４で形成される角部５を覆うコーナー部６とで形成される。
【００１５】
シート部３は、厚さ２．５ｍｍの軟質塩ビシートで、表面３ａには防滑性を得るための凸模様７が施されている。シート部３としては、ポリ塩化ビニル等のビニル系樹脂の他に、ポリエチレン等のオレフィン系樹脂やナイロン等のアミド系樹脂等の合成樹脂を単層又は積層構造で用いることができる。また、合成樹脂に炭酸カルシウム等の無機質充填剤を配合しても良い。更に、合成樹脂の層に麻布等を積層しても良い。
【００１６】
コーナー部６は、踏み面２から蹴上げ４にかけて折り曲げられた断面Ｌ型の硬質塩ビ製で、踏み面２と蹴上げ４により形成される角部５を覆う。このコーナー部６としては、シート部３と超音波溶着可能な材質を用いることができ、前記シート部３と略同様の合成樹脂を使用することができる。但し、一般に、コーナー部６の方を硬質にするために、無機質充填剤の配合量を増している。
【００１７】
コーナー部６は、踏み面２に沿う踏み面対応部８と、蹴上げ４に沿う蹴上げ対応部９を一体的に有している。蹴上げ対応部９の先端は蹴上げ４に段差なく密着するように厚さが漸次薄くなっている。
【００１８】
踏み面対応部８は基本的にシート部３よりも厚く形成され、その表面８ａには更に４本の横リブ１０が所定間隔ごとに形成されている。また、踏み面対応部８の裏面８ｂには、踏み面対応部８の端末から途中位置まで（３つめの横リブ１０まで）、シート部３の端部の厚さに合致する深さの凹部１１が形成されている。そして、この凹部１１内にシート部３の端部を収納した状態で、踏み面対応部８とシート部３の端部とが超音波溶着により結合された状態になっている。
【００１９】
次に、この超音波溶着による結合作業を図２〜図４に基づいて説明する。コーナー部６と超音波溶着する前のシート部３には、その表面３ａの全面に凸模様７が施されているため（図２参照）、コーナー部６に超音波溶着される範囲Ｒ（図３参照）だけ、凸模様７を研磨除去して平坦化する。これは、シート部３とコーナー部６との溶着強度を高めるためである。
【００２０】
コーナー部６は、裏面８ｂを上にした状態で治具１２の上の載せられる。治具１２の表面にはコーナー部６の表面８ａに合致した凹凸面１２ａが形成され、コーナー部６を安定した状態で保持できるようになっている。
【００２１】
次に、治具１２上に保持されたコーナー部６の凹部１１に、シート部３の凸模様７を除去した範囲Ｒを重ね合わせ、該シート部３の端部を凹部１１内に収納した状態にする。シート部３の厚さと、凹部１１の深さが合致しているため、シート部３の裏面３ｂと、コーナー部６の裏面８ｂとは同一面となる。
【００２２】
次に、シート部３の裏面３ｂ側から、凹部１１内に位置する３つの横リブ１０に対応する３点を溶着点Ａ、Ｂ、Ｃとして選択し、超音波溶着用のホーン１３により順に超音波溶着する。肉厚の横リブ１０部分を選択して超音波溶着するため、ダメージを受けにくく、コーナー部６の表面８ａ側に超音波溶着の痕が生じにくい。
【００２３】
以上のように製造された床材１は、階段の角部５に対応するコーナー部６が、シート部３とは別部材で且つシート部３の上側から重ねて溶着されているため、コーナー部６がシート部３から盛り上がった状態となり、視覚的に目立つ。また、階段の角部５の外側が、コーナー部６で覆われるため、摩耗も少ない。
【００２４】
特に、この実施形態では、階段の角部５に対応する部分が、硬質のコーナー部６だけで覆われるため、踏力がコーナー部６を介して階段の角部５へ直接伝達され、踏力に対して高い反発力を示すことになり、足を踏み外す危険性が少なくなる。
【００２５】
【発明の効果】
この発明によれば、コーナー部がシート部の上側から重合された状態で溶着されるため、コーナー部がシート部から盛り上がった状態となり、視覚的に目立つと共に、階段の角部がコーナー部で覆われるため、摩耗も少ない。
【図面の簡単な説明】
【図１】この発明の一実施形態に係る階段に貼り付けられた床材を示す斜視図。
【図２】図１のシート部とコーナー部とを超音波溶着する前の状態を示す断面図。
【図３】図２のシート部の端部をコーナー部の凹部内に収納する状態を示す断面図。
【図４】図３のシート部の端部をコーナー部の凹部内に収納した後にホーンで順に超音波溶着する状態を示す断面図。
【符号の説明】
１　床材
２　踏み面
３　シート部
３ａ　表面
３ｂ　裏面
４　蹴上げ
５　角部
６　コーナー部
７　凸模様
８　踏み面対応部
８ａ　表面
８ｂ　裏面
９　蹴上げ対応部
１０　横リブ
１１　凹部
１２　治具
１２ａ　凹凸面
１３　ホーン
Ｈ　範囲
Ａ、Ｂ、Ｃ　溶着点
【図１】
2004060154.tif 000003
【図２】
2004060154.tif 000004
【図３】
2004060154.tif 000005
【図４】
2004060154.tif 000006